(57)【特許請求の範囲】
【請求項１】
マトリックス状に配列された複数の発光手段と、入力する信号レベルを検出するレベル検出手段と、各信号レベルにそれぞれ対応し、発光する前記発光手段を発光群として予め記憶する記憶手段と、前記レベル検出手段により検出された信号レベルに基づいて、前記発光群の前記発光手段を点灯させる表示装置において、
前記レベル検出手段により検出された前記信号レベルに対応する前記発光群の発光手段が点灯しているかを判断する点灯判断手段と、
前記点灯判断手段によって判断された点灯中の前記発光手段の周囲に存在する発光手段をランダムに点灯するランダム点灯手段と、を備えたことを特徴とする表示装置。
【請求項２】
マトリックス状に配列された複数の発光手段を備え、入力する信号レベルを検出するレベル検出処理と、各信号レベルにそれぞれ対応し、発光する前記発光手段を発光群として予め記憶する記憶処理と、前記レベル検出処理により検出された信号レベルに基づいて、前記発光群の前記発光手段を点灯させる表示装置の制御方法において、
前記レベル検出処理において検出された前記信号レベルに対応する前記発光群の発光手段が点灯しているかを判断する点灯判断処理と、
前記点灯判断処理によって判断された点灯中の前記発光手段の周囲に存在する発光手段をランダムに点灯するランダム点灯処理と、を含むことを特徴とする表示装置の制御方法。
【発明の詳細な説明】
【０００１】
【発明の属する技術分野】
本発明は、新鮮な変化に富んだ興味深い新たな視覚効果を実現する表示の技術すなわち表示装置及びその制御方法に関するものである。
【０００２】
【従来の技術】
近年、半導体技術の進歩により各種電子機器が普及し、電子機器における動作状態など様々な情報の表示に各種の発光手段が用いられている。そのような発光手段の代表は発光ダイオードすなわちＬＥＤ（Light Emitting Diode）であり、その優れた特徴として、小型、安価、消費電力や発熱も少ない、動作も安定している、環境変化に強く耐久性に優れているなどがある。従来、このようなＬＥＤでは、ＯＮ（点灯状態）又はＯＦＦ（消灯状態）に選択的、択一的に制御することにより情報の表示が行われていた。
【０００３】
ところで、ＬＥＤを上記のようにＯＮ又はＯＦＦに制御する従来技術において、一つのＬＥＤによって表される情報は、基本的にデジタルであり、デジタル情報の単位すなわち１ビットがＯＮかＯＦＦに対応する。このため、音声レベルなど程度や数値については、ＬＥＤを一列に多数並べ、どこまで点灯させるか、又はどれを点灯させるかなどにより表していた。その典型はカーオーディオシステムのスペクトラムアナライザーで、左右の音声信号レベルに合わせて各一列や、周波数帯ごとに各一列ずつのＬＥＤを、該当レベルまで点灯させるものであった。
【０００４】
【発明が解決しようとする課題】
しかしながら、上記のような表示は情報の客観的正確さのみを身上としたデジタル表示であり、対象の程度を表すだけのありきたりな表示であった。このため、音楽の視聴中に特に注目するような、変化に富んだ視覚効果の魅力や目新しさを利用者に感じさせたり、使用による特に優れた満足度を与える要素もなく、この点の改善が潜在的に待望されていた。また、これはすなわち、それらの表示技術を用いたカーオーディオシステムが店頭に陳列されていても特段の目新しさや注目度も得られないということであり、より優れた販売促進効果も潜在的に待望されていた。
【０００５】
本発明は、上記のような従来技術の問題点を解決するために提案されたもので、その目的は、新鮮な変化に富んだ興味深い新たな視覚効果を実現する表示の技術すなわち表示装置及びその制御方法を提供することである。また、本発明の他の目的は、ハードウェア構成は従来と特に変えることなく、マイコン等による制御手順を変えることにより、安価かつ容易に新たな視覚効果を実現することである。
【０００６】
【課題を解決するための手段】
上記の目的を達成するため、請求項１の表示装置は、マトリックス状に配列された複数の発光手段と、入力する信号レベルを検出するレベル検出手段と、各信号レベルにそれぞれ対応し、発光する前記発光手段を発光群として予め記憶する記憶手段と、前記レベル検出手段により検出された信号レベルに基づいて、前記発光群の前記発光手段を点灯させる表示装置において、前記レベル検出手段により検出された前記信号レベルに対応する前記発光群の発光手段が点灯しているかを判断する点灯判断手段と、前記点灯判断手段によって判断された点灯中の前記発光手段の周囲に存在する発光手段をランダムに点灯するランダム点灯手段と、を備えたことを特徴とする。
【０００７】
請求項２の表示装置の制御方法は、請求項１の発明を方法という見方から捉えたもので、複数の発光手段を備え、マトリックス状に配列された複数の発光手段を備え、入力する信号レベルを検出するレベル検出処理と、各信号レベルにそれぞれ対応し、発光する前記発光手段を発光群として予め記憶する記憶処理と、前記レベル検出処理により検出された信号レベルに基づいて、前記発光群の前記発光手段を点灯させる表示装置の制御方法において、前記レベル検出処理において検出された前記信号レベルに対応する前記発光群の発光手段が点灯しているかを判断する点灯判断処理と、前記点灯判断処理によって判断された点灯中の前記発光手段の周囲に存在する発光手段をランダムに点灯するランダム点灯処理と、を含むことを特徴とする。
【０００８】
これらの態様では、面上に並んだＬＥＤなどの発光手段が、音声レベル等の信号レベルに合わせていろいろなパターンに変化するので、変化に富んだ興味深い視覚効果が実現される。また、ハードウェア構成は従来と特に変えることなく、マイコン等による制御手順を変えることにより、安価かつ容易に新たな視覚効果を実現することができる。なお、発光パターンの内容は自由であるが、例えば、どれとどの発光手段を、どの程度の明るさで、どの程度の時間、発光させるかなどの要素を組み合わせて決定する。
【００１７】
また、点灯しているＬＥＤ等の発光手段に隣接する周囲の発光手段をランダムに点灯させることにより、風や水で光が揺らいでいるようなアナログ的なナチュラルで変化に富んだ興味深い視覚効果が実現される。
【００２８】
【発明の実施の形態】
次に、本発明の実施の形態（以下「本実施形態」と呼ぶ）について図面を参照して具体的に説明する。なお、本実施形態は、コンピュータをプログラムで制御することにより実現されるが、この場合のハードウェアやソフトウェアの実現態様は各種変更可能であるから、以下の説明では、本発明及び本実施形態の各機能を実現する仮想的回路ブロックを用いる。
【００２９】
〔１．構成〕
〔１−１．概略〕
本実施形態は、平面上に縦横に並べて配置される発光手段である発光ダイオードすなわちＬＥＤを、主に、入力されるオーディオ信号レベルに応じた発光パターンで発光させるカーオーディオシステム（以下「本システム」と呼ぶ）である。ここで、図１は、本システムの本体ユニットの正面図であり、各ボタンＢ、文字表示部Ｃとともに、パターン表示部Ｐが設けられている。
【００３０】
このパターン表示部Ｐには、図２の概念図に示すように、縦５個×横７個に配列された計３５個のＬＥＤ群が用いられている。なお、本実施形態の各図（図２，図７）では、黒く塗りつぶした部分は最も明るく点灯しているＬＥＤを表すものとし、その明るさを３とする。また、網掛け部分は最も暗く点灯しているＬＥＤを表すものとし、その明るさを１とする。さらに、白い四角は消灯しているＬＥＤを示すものとする。
【００３１】
そして、これらＬＥＤの発光面側には、図３の断面図に示すように、光を拡散させる光拡散手段すなわち光拡散部材Ｓとして艶消し加工されたプラスチックス製カバーが設けられ、これが図１のパターン表示部Ｐとなっている。
【００３２】
〔１−２．回路ブロック図〕
次に、本システムは、図４の回路ブロック図に示す各部分を備えている。すなわち、メインマイコン１１は、システム全体の制御を行う部分であり、ＣＤメカ１２は、メインマイコン１１による制御にしたがってＣＤを再生する部分である。このようにＣＤから再生される音声は、ＣＤオーディオＯＵＴ（出力）Ｌ３から出力される。
【００３３】
また、ＰＬＬ（Phase Locked Loop：位相同期回路）ＩＣ１３は、メインマイコン１１により制御され、チューナー１４をコントロールすることでラジオの受信を行う部分である。このように受信されるラジオの音声は、ラジオオーディオＯＵＴ（Ｌ４）から出力される。
【００３４】
また、電子ボリューム１５は、メインマイコン１１により制御され、入力セレクタの切り換えと音量、音質のコントロールを行う部分である。この電子ボリューム１５に入力されるＣＤオーディオＯＵＴ（Ｌ３）とラジオオーディオＯＵＴ（Ｌ４）は、入力セレクタによって切り換えられ、パワーアンプ１６を経てスピーカＳＰから音声として出力される。
【００３５】
また、表示マイコン１７は、キーの入力、表示出力を行う部分である。すなわち、キーマトリックス１８は、キーの入力を受け付ける部分で、その結果はバス１１６によって、メインマイコン１１に伝達される。そして、メインマイコン１１は、このように表示マイコン１７から伝達されるキー入力に応じ、ＣＤメカ１２や、ラジオ系統、電子ボリューム１５の制御を行い、その結果をバス１１６によって、表示マイコン１７に返答する。
【００３６】
表示マイコン１７は、メインマイコン１１からの返答結果によって、表示データを作成し、ＶＦＤドライバ１９を制御して、ＶＦＤ（蛍光表示管）１１０に各種の表示を行う。
【００３７】
ここで、電子ボリュームの入力セレクタの後ろから出力されるＥ−ＶＯＬ  ＯＵＴ（Ｌ５）が、オーディオレベルの検出用の信号として、表示マイコン１７のＡ／Ｄポートに入力される。そして、表示マイコン１７は、この信号をＡ／Ｄ変換したディジタル値に基いてＬＥＤの点灯パターンを決定する。すなわち、表示マイコン１７は、このディジタル値をもって、ＬＥＤ横出力１１１とＬＥＤ縦出力１１２の各ポートを制御して、ＬＥＤマトリックス１１３における各ＬＥＤを点灯させる。
【００３８】
具体的には、ＬＥＤ横出力１１１とＬＥＤ縦出力１１２の交点に個々のＬＥＤがあり、ＬＥＤ横出力とＬＥＤ縦出力を同時にＨＩＧＨとすると、その交点にあるＬＥＤが点灯する。
【００３９】
〔１−３．表示マイコンの構成〕
以上のような処理を行う表示マイコン１７は、図示しない前記プログラムに制御されることにより、図５に示す各部分の機能を果たす。すなわち、レベル検出部１は、入力する信号レベルを検出するレベル検出手段であり、Ａ／Ｄ変換機能を含む。また、パターン記憶部２は、各信号レベルごとにそれぞれ対応し、各ＬＥＤの発光パターンを予め記憶する記憶手段である。また、制御部３は、レベル検出部１により検出された信号レベルと、パターン記憶部２に記憶された発光パターンと、に基づいてＬＥＤ群の発光状態を制御する制御手段である。また、本実施形態で用いられる発光パターンは所定時間毎に変更されるものであり、今回発生した発光パターンを前回の発光パターンに重ね合わせる処理が行われる。
【００４０】
また、減衰部４は、発光したＬＥＤにおける輝度を徐々に減衰させる減光手段であり、ＬＥＤの単位時間における発光時間を変化させる発光時間制御部５を備えている。また、第２制御部６は、発光中のＬＥＤに隣接するＬＥＤを所定輝度にてランダムに発光させる第２の制御手段である。
【００４１】
〔２．作用〕
以上のように構成された本実施形態では、パターン表示部Ｐ（図１）の各ＬＥＤを、再生中のソースの音声レベルに同期して点灯させる。典型的には、音声出力が大きくなるほどＬＥＤの点灯個数を増やし、反対に小さくなるほど点灯個数を減少させることが考えられる。もちろん、これに限らず、逆に音声レベルが大きいほど点灯個数を少なくし、音声レベルが小さいほど点灯個数を増やすようにしてもよい。つまり、各音声レベルに応じた点灯個数や点灯箇所を設定さえしておけば、様々なパターンの表示を行うことができる。そして、この時のＬＥＤ点灯時に、後述する揺らぎの表示を加えて、アナログ的な表示を行う。
【００４２】
なお、音声レベルに応じた表示パターンを実現するため、パターン記憶部２（図５）には、各信号レベルごとにそれぞれ対応し、各ＬＥＤの発光パターンを予め記憶させておく。そして、レベル検出部１が、入力する信号レベルを検出し、制御部３が、レベル検出部１により検出された信号レベルと、パターン記憶部２に記憶された発光パターンと、に基づいてＬＥＤ群の発光状態を制御する。
【００４３】
また、本実施形態で用いられる発光パターンは所定時間毎に変更されるものであり、制御部３は、今回発生した発光パターンを前回の発光パターンに重ね合わせる処理を行う。
【００４４】
〔２−１．各ＬＥＤの点灯制御〕
このような表示パターンは、個々のＬＥＤの点灯を制御することで実現されるが、各ＬＥＤは、表示マイコン１７による直接マトリックス駆動で制御する。すなわち、マトリックスの駆動方法は、ＬＥＤ横出力１１１をスキャニングさせ、対応する縦出力１１２のポートを制御することでＬＥＤを点灯させる。
【００４５】
また、ＬＥＤごとに異なった明るさで点灯させたり、さらに、減衰部４が、一旦発光したＬＥＤにおける輝度を徐々に減衰させるが、このような明るさの制御は、ＬＥＤの点灯タイミングを間引くことで行う。具体例として、減衰部４による明るさの減衰処理は発光時間制御部５により、ＬＥＤの単位時間における発光時間を徐々に少なく変化させることによって行う。
【００４６】
ここで、制御タイミングの例を図６に示す。この図は、説明を簡略化のためＬＥＤマトリックスの一部のみを示したもので、ＬＥＤ横出力０〜３に対し、ＬＥＤ縦出力０（注１）は、縦０−横０のＬＥＤを点灯させる場合の波形を示す。また、ＬＥＤ縦出力１（注２）は、縦１−横１及び縦１−横２のＬＥＤを点灯させる場合の波形を示す。縦出力と横出力が同時にＨＩＧＨの間、その交点のＬＥＤが点灯する。
【００４７】
また、下方に示す明るさの制御例（注３）では、単位時間あたりの中でＬＥＤの点灯しているタイミング（時間の長さ）を間引くことで明るさの調整を行う。図の例では、点灯タイミングを３／３→２／３→１／３→０／３と変化させるごとに暗くなる。なお、この例では、タイムサイクルが充分短いため、発光を見る利用者の網膜等の視覚認識における残像現象により異なった明るさによる安定した連続点灯が観察され、ここでは明るさ３が最も明るく、明るさ０が最も暗い消灯状態とする。
【００４８】
〔２−２．揺らぎ表示の制御方法〕
また、第２制御部６は、発光中のＬＥＤに隣接する周囲の各ＬＥＤを所定輝度でランダムに発光させることにより揺らぎ表示を行う。この点灯は、明るさ制御で一番暗い明るさで点灯させる。ランダムな点灯は、早い周期で別のランダムな点灯パターンに切り換える。この制御を行うことによって、ＬＥＤが揺らいでいるように見える。この場合の表示例を図７に示す。
【００４９】
この例において（ａ）は元々点灯しているＬＥＤを、（ｂ）は揺らぎを付加した状態を、（ｃ）はさらに８ｍＳ後に別のパターンの揺らぎを付加した状態を、（ｄ）〜（ｆ）は以降８ｍＳ後にそれぞれ別の揺らぎのパターンを付加してゆく状態を示す。
【００５０】
〔２−３．レベルに応じた表示パターンの作成〕
次に、以上のように、音声レベルに応じた表示パターンの作成を行う処理のフローチャートを図８に示す。この処理は、タイマーを用いて１００ｍＳサイクルで繰り返し呼び出されステップ１から実行される。
【００５１】
ここで、各ＬＥＤの各時点すなわち現在の点灯状態は表示データとして所定の記憶領域であるＴＢＬ（図９）に格納されており、図８の処理では、まず、現在表示している表示データＴＢＬ（図９）の値が１〜３であったら−１する（ステップ１）。この処理によって、前回の表示内容の明るさが一段階暗くなる。
【００５２】
続いて、入力される音声レベルについてＡ／Ｄ変換処理を行い現在の音声レベルの検出を行う（ステップ２）。この処理では、表示マイコン１７のＡ／Ｄポートの入力値をＡ／Ｄ変換することで、入力の音声レベルが大きいほど、Ａ／Ｄ変換の結果値も大きくなる。これにより得られたＡ／Ｄ値に対応する表示データを求める（ステップ３）。ここで、音声レベルに応じた発光パターンは、図１０に示すように、表示に用いる表示データ１〜６の形でパターン記憶部２に予め記憶されており、音声レベルに応じて選択される。
【００５３】
例えば、Ａ／Ｄ値が０の場合は、表示データ１を使用し、Ａ／Ｄ値に比例して、表示テ−ブルの番号も大きな物を使用する。この表示データ１〜６は、実装としては表示マイコン１７に内蔵されるＲＯＭテーブルとして作成すればよい。なお、図１０の各表示データの表中では、他と同様、３という値はＬＥＤを最も明るく点灯させる値であり、０は消灯の値である。
【００５４】
このように得られた表示データを表示データＴＢＬ（図９）に代入する（図８のステップ４）。この代入は、現在の表示データＴＢＬに重ね合わせるように、例えば各値のＯＲを取る論理演算によって行う。これにより、発光パターンが所定時間毎に変更される場合、今回発生した発光パターンを前回の発光パターンに重ね合わせるような視覚処理が実現され発光パターンの変化がスムースとなる。なお、表示データＴＢＬは、実装としては表示マイコン１７に内蔵されたＲＡＭテーブルとして用意すればよい。以上で図８に示す一連の処理が終了する。
【００５５】
〔２−４．揺らぎの付加〕
次に、図１１及び図１２のフローチャートは結合子１によって一体であり、発光パターンに揺らぎ表示を付加する処理手順を示すものである。この処理は、８ｍＳのタイマー処理であり、８ｍＳ毎に繰り返し呼び出される。この処理手順では、図８の手順によりＡ／Ｄ変換の結果に基いて求めた図１３（ａ）のような表示データをもとに、点灯を意味する「３」の周囲のＬＥＤの領域に、所定の揺らぎ値ＦＨ（図１３（ｂ）では「Ｆ」と表す）を付加するものである。
【００５６】
この手順では、まず、表示データＴＢＬ（図９）に前回付加された揺らぎ値ＦＨを抹消する処理と（ステップ１１）その後に続く４つの部分、すなわちステップ１２〜１８、ステップ１９〜２５、ステップ２６〜３２、ステップ３３〜３９の部分からなり、それぞれ点灯個所の「左」「右」「上」「下」に揺らぎ値ＦＨを付加する処理である。
【００５７】
すなわち、まず、ランダム値Ｒを得て（ステップ１２）、カウンタ１を０に初期化する（ステップ１３）。ここで、「ランダム値Ｒ」は１６進法で表現されるようなビット列値であり、後に説明する各ステップ１２，１９，２６，３３でそれぞれ求めた各ランダム値Ｒについて、その後の各ステップ１４，２１，２８，３５の「ＲのＢＩＴｉ＝１？」で、第ｉビットがそれぞれ「１」（立っている）か否かを判断した結果に応じ、どの位置のＬＥＤを揺らぎ表示として点灯させるかを選択するのに用いる。
【００５８】
すなわち、ステップ１２〜１８の一連の処理では、まず、ステップ１２で得たランダム値ＲのＢＩＴｉ（ｉはカウンタ値であり、ＢＩＴｉは第ｉビットの値を意味する。以下同じ）が１かどうかの判断を行う（ステップ１４）。０であった場合は続くステップ１５，１６はスキップしステップ１７へ進むが、１であった場合は、表示データＢＬ（図７）の横列Ｙｉ（ｉはカウンタ値であり、Ｙｉは第ｉ番目の横一列を意味する。以下同じ）をＸ０からＸ６まで確認して点灯箇所があるかどうか判断する（ステップ１５）。点灯箇所があった場合には、発見した表示デ一夕ＢＬの点灯箇所の左側に、揺らぎ値であるＦＨの値を代入し（ステップ１６）、点灯個所がなかった場合はステップ１６はスキップされる。
【００５９】
ステップ１７では、カウンタｉを＋１し、これによりカウンタが４を越えたかどうかの判断を行う。この４という値は表示データＴＢＬの横列の最大値であり、４以下であったらステップ１４へ戻るが、４を越えたらステップ１９へ進む。
【００６０】
その先は上記の処理と同様で、ステップＳＴＥＰ１９〜２５では表示データＢＬの点灯箇所の「右側に」揺らぎ値ＦＨを付加する処理を行なう。同様にステップ２６〜３２では表示データＢＬの点灯箇所の「上側に」揺らぎ値ＦＨを付加する処理を、ステップ３３〜３９では表示データＢＬの点灯箇所の「下側に」揺らぎ値ＦＨを付加する処理を行い、以上で一連の処理が終了する。
【００６１】
〔２−５．ＬＥＤマトリックスの点灯〕
以上のように作成された表示データに基き、ＬＥＤマトリックスを点灯させる処理手順のフローチャートを図１４に示す。この処理は、１ｍＳのタイマー処理であり、１ｍＳ毎に繰り返し呼び出される。また、作業用データ記憶のために、ＬＥＤ横列記憶用メモリＹｃｏｕｎｔと、明るさ制御用メモリＤｃｏｕｎｔを用いるものとする。
【００６２】
この処理では、まず、現在点灯している縦列出力０〜６を消灯し（ステップ４１）、ＬＥＤ横列カウンタＹｃｏｕｎｔを＋１し（ステップ４２）し、Ｙｃｏｕｎｔが４を越えたかどうかの判定を行う（ステップ４３）。この４という値は、表示データＴＢＬの横列の最大値であり、４以内ならステップ４４〜４７をスキップしてステップ４８へ進む。ステップ４３の判定でＹｃｏｕｎｔが４を越えていた場合は、ＬＥＤ横列カウンタＹｃｏｕｎｔを０に初期化し（ステップ４４）、明るさ制御用カウンタＤｃｏｕｎｔを＋１する（ステップ４５）。
【００６３】
そして、Ｄｃｏｕｎｔが３を越えたかどうかの判定を行う（ステップ４６）、この３という値は、明るさ制御の最大値で、３を越えたらＤｃｏｕｎｔを０にリセットする（ステップ４７）。
【００６４】
その後、Ｙｃｏｕｎｔ値に対応するＬＥＤ横列の出力を行う（ステップ４８）。すなわち、Ｙｃｏｕｎｔが０の場合は図２におけるＬＥＤ横０の出力を行う。その後、表示データＴＢＬ（図９）のＹｃｏｕｎｔ値に対応する列の値を得る（ステップ４９）。すなわち、Ｙｃｏｕｎｔが０であったなら表示データＴＢＬ（図９）のＹ０列の値を得る。このように求めた値の揺らぎ値ＦＨを１に置き換える（ステップ５０）。この１という値は、ＬＥＤを最も暗く点灯する値である。
【００６５】
そして、この置き換えによって得られた値とＤｃｏｕｎｔの値を比較し、Ｄｃｏｕｎｔ値よりも大きな値が入っている所と対応する、縦列の出力を行う（ステップ５１）。すなわち、図２におけるＬＥＤ縦０やＬＥＤ縦１の出力を行う。以上で一連の処理が終了する。なお、このような処理手順により、揺らぎの付加された図１３（ｂ）の表示データＴＢＬを表示した例が図２である。
【００６６】
〔３．効果〕
以上のように、本実施形態では、面上に並んだＬＥＤなどの発光手段が、音声レベル等の信号レベルに合わせていろいろなパターンに変化するので、変化に富んだ興味深い視覚効果が実現される。また、ハードウェア構成は従来と特に変えることなく、マイコン等による制御手順を変えることにより、安価かつ容易に新たな視覚効果を実現することができる。なお、発光パターンの内容は自由であるが、例えば、どれとどの発光手段を、どの程度の明るさで、どの程度の時間、発光させるかなどの要素を組み合わせて決定する。
【００６７】
また、本実施形態では、一旦発光した光が機械的に突然消えるのではなく、輝度が徐々に減衰するので、動物の発光など自然界の発光のようにナチュラルでオーガニックな印象を与え、利用者に新鮮さと変化に富む興味深い視覚効果や安心感を与える利点がある。なお、減衰は輝度ゼロまででも、適当な暗さの所定レベルまででもよい。
【００６８】
また、本実施形態では、発光手段を徐々に暗くする際、駆動電力を変化させるまでもなく、単位時間あたりに発光時間を少なく変化させることにより、単純な構成で光の減衰が実現できる。特に、そのタイムサイクルが充分短ければ、発光手段の種別によっては実際の発光が徐々に減衰し又はユーザの視覚認識上の残像現象により、滑らかな減衰に見えて上品な視覚効果に優れ、また、そのタイムサイクルが比較的長ければ明滅しながらかすれるように減衰してゆくような、はかなげな独特の雰囲気を醸し出す利点も得られる。
【００６９】
また、本実施形態では、点灯しているＬＥＤ等の発光手段に隣接する周囲の発光手段をランダムに点灯させることにより、風や水で光が揺らいでいるようなアナログ的なナチュラルで変化に富んだ興味深い視覚効果が実現される。
【００７０】
また、本実施形態では、発光パターンが所定時間ごとに変化するだけでなく、その切替の際、デジタル的に突然変化するのではなく、それまで発光していた前回の発光パターンに、次の新しい発光パターンが重ね合わされるように変換するので、動物の発光など自然界の発光のようにナチュラルでオーガニックな印象を与え、利用者に新鮮さと変化に富む興味深い視覚効果や安心感を与える利点がある。
【００７１】
また、本実施形態では、ＣＤ演奏やＦＭラジオ視聴等のオーディオ信号レベルに合わせて発光パターンが変化するので、本発明独特のナチュラルで新鮮な変化に富む視覚的効果と、耳からの聴覚的効果との相乗効果により、精神が高揚し深い満足感の得られる視聴体験がもたらされる。
【００７２】
また、本実施形態では、ＬＥＤ等の発光手段の発光面側すなわち利用者に見える側に、半透明やスモーク加工等のプラスチックカバーなどの光拡散手段を設けることにより、多数ばらばらな光源が自然に融合した一体の発光体に見え、動物の発光など自然界の発光のようにナチュラルでオーガニックな印象を与え、利用者に新鮮さと変化に富む興味深い視覚効果や安心感を与える。
【００７３】
また、本実施形態では、安価で消費電力や発熱も少なく動作も安定し環境変化に強く耐久性に優れたＬＥＤ（Light Emitting Diode）を用いながら、平面的に複数個を並べて、その明るさを段階的に制御したり、さらに揺らぎなどの表現を付加することにより、従来なかったアナログ的な新しい表示表現による優れた視覚効果が得られる。
【００７４】
〔４．他の実施形態〕
なお、本発明は上記実施形態に限定されるものではなく、次に例示するような他の実施形態も含むものである。例えば、発光パターンや揺らぎの付加を含む具体的な発光態様は適宜変更可能であり、また、音声レベルに同期させるだけでなく、例えば、キー操作によってある特定のパターンを表示させたりする事も可能である。また、ＬＥＤの並び方もハニカム状、同心円状、放射状などいろいろなパターンが考えられる。また、発光手段はＬＥＤには限定されず、ＶＦＤ（蛍光表示管）や有機ＥＬ（エレクトロ・ルミネッセンス）なども利用可能である。
【００７５】
【発明の効果】
以上のように、本発明によれば、新鮮な変化に富んだ興味深い新たな視覚効果を実現する表示の技術すなわち表示装置及びその制御方法を提供することができる。
【図面の簡単な説明】
【図１】本発明の実施形態における本体ユニットの正面図。
【図２】本発明の実施形態におけるＬＥＤの配置を示す概念図。
【図３】本発明の実施形態におけるＬＥＤと光拡散部材の位置関係を示す断面図。
【図４】本発明の実施形態における本体ユニットの回路ブロック図。
【図５】本発明の実施形態における表示マイコンにより実現される各機能部を示す機能ブロック図。
【図６】本発明の実施形態における制御タイミングを示すタイミングチャート。
【図７】本発明の実施形態におけるＬＥＤの表示例を示す図。
【図８】本発明の実施形態において、音声レベルに応じたパターン表示用の表示データを作成する処理手順を示すフローチャート。
【図９】本発明の実施形態において、各ＬＥＤの点灯状態を表示データとして格納する記憶領域ＴＢＬを示す概念図。
【図１０】本発明の実施形態において、各音声レベルに応じた各発光パターンに対応する各表示データを示す概念図。
【図１１】本発明の実施形態において、発光パターンに揺らぎ表示を付加する処理手順を示すフローチャート（前半）。
【図１２】本発明の実施形態において、発光パターンに揺らぎ表示を付加する処理手順を示すフローチャート（後半）。
【図１３】本発明の実施形態において、揺らぎの付加前（ａ）と付加後（ｂ）との表示データ内容を示す概念図。
【図１４】本発明の実施形態において、作成された表示データに基き各ＬＥＤを点灯させる処理手順を示すフローチャート。
【符号の説明】
Ｂ…ボタン
Ｃ…文字表示部
Ｐ…パターン表示部
Ｓ…光拡散部材
１１…メインマイコン
１２…ＣＤメカ
１３…ＰＬＬ  ＩＣ
１４…チューナー
１５…電子ボリューム
１６…アンプ
１７…表示マイコン
１８…キーマトリックス
１９…ＶＦＤドライバ
１１０…ＶＦＤ
１１１…ＬＥＤ横出力
１１２…ＬＥＤ縦出力
１１３…ＬＥＤマトリックス
Ｌ３，Ｌ４，Ｌ５…出力ラインないしその信号
１１６…バス
【図１】
0004235395.tif 000002
【図２】
0004235395.tif 000003
【図３】
0004235395.tif 000004
【図４】
0004235395.tif 000005
【図５】
0004235395.tif 000006
【図６】
0004235395.tif 000007
【図７】
0004235395.tif 000008
【図８】
0004235395.tif 000009
【図９】
0004235395.tif 000010
【図１０】
0004235395.tif 000011
【図１１】
0004235395.tif 000012
【図１２】
0004235395.tif 000013
【図１３】
0004235395.tif 000014
【図１４】
0004235395.tif 000015